(57)【要約】      （修正有）【課題】効果的なデータの転送や読み書きが可能で使用に便利な、双方向読み書きＵＳＢメモリを提供する。【解決手段】ケース体１と、両面差込接続マイクロＵＳＢコネクタ２とからなる。ケース体１内部には収容スペースが設けられ、収容スペースには電子回路基板１１が設けられる。電子回路基板１１一面にはメモリーユニット１１１が設けられる。更にケース体１一端には、両面差込接続マイクロＵＳＢコネクタ２が接続される。両面差込接続マイクロＵＳＢコネクタ２にはフレーム体２１が設けられ、フレーム体２１の所定の位置には板体２２が設けられる。板体２２の二面にはそれぞれ複数の導電部品が設けられ、板体２２の二側には少なくとも一つの固定部品２４が設けられる。以上により、メモリーユニット１１１によって効果的にデータの読み書きが出来るとともに、両面差込接続マイクロＵＳＢコネクタ２によって両面での差込接続が可能になり、且つ防護効果も得られる。【選択図】図２
0003202415.tif 000002
【実用新案登録請求の範囲】
【請求項１】
ケース体と、両面差込接続マイクロＵＳＢコネクタとからなる、双方向読み書きＵＳＢメモリであって、
前記ケース体内部には、収容スペースが設けられ、
前記収容スペースには、電子回路基板が設けられ、
前記電子回路基板の一面には、メモリーユニットが設けられ、
前記両面差込接続マイクロＵＳＢコネクタは、前記ケース体の一端と互いに接続されるとともに、前記両面差込接続マイクロＵＳＢコネクタには、フレーム体が設けられ、
前記フレーム体の所定の位置には、板体が設けられ、
前記板体の二面には、それぞれ複数の導電部品が設けられることを特徴とする、双方向読み書きＵＳＢメモリ。
【請求項２】
前記フレーム体内部の中段には、前記板体が設けられることを特徴とする、請求項１に記載の双方向読み書きＵＳＢメモリ。
【請求項３】
前記板体の二側には、少なくとも一つの固定部品が設けられることを特徴とする、請求項２に記載の双方向読み書きＵＳＢメモリ。
【考案の詳細な説明】
【技術分野】
【０００１】
本考案は、双方向読み書きＵＳＢメモリに関し、特に、メモリーユニットによってデータの読み書きをするとともに、両面差込接続マイクロＵＳＢコネクタによって両面での差込接続が出来ることにより、効果的なデータ転送・読み書きが可能で使用に便利な、双方向読み書きＵＳＢメモリに関する。
【背景技術】
【０００２】
昨今の科学技術の世の中においては、パソコンや携帯電話、或はタブレット型パソコン等を問わず、いずれも膨大なデジタルデータを有している。これらのデジタルデータについて、バックアップや読み書きをする場合、或は別の場所へ持って行く場合に、デジタルデータを読み書きするための記憶メディアとしてＵＳＢメモリがよく使用される。
【０００３】
前記ＵＳＢメモリは、通常、ケース体を有し、前記ケース体内部にメモリーユニットが設けられ、前記ケース体の一端にＵＳＢコネクタが接続されてなるとともに、前記ＵＳＢコネクタがパソコンやその他の電子装置と接続されることにより、前記パソコンやその他の電子装置内部におけるデジタルデータを読み書きする。これにより、効果的なデータの読み書きが可能である。
【０００４】
上述のＵＳＢメモリは、データの読み書きが可能であるものの、前記ＵＳＢコネクタの接続面は前記パソコンの被接続部としか接続されず、更に前記ＵＳＢコネクタの接続面を誤って接続してしまった場合には、パソコンの被接続部やＵＳＢコネクタの接続部分が破損して使用不可能になる等の事態を招いてしまう可能性がある。
【０００５】
また、パソコンのほか、スマートフォンも非常に一般的な電子装置の一つである。このため、スマートフォンの接続部と接続されてデータの読み書きや転送等の動作を効果的に行うことが可能な、マイクロＵＳＢメモリも考案されている。
【０００６】
上述のように、マイクロＵＳＢメモリは、スマートフォンのデジタルデータを効果的に読み書きしたり転送したりすることが出来るものの、前記マイクロＵＳＢメモリに設けられたマイクロＵＳＢコネクタも一つの接続面しか有しておらず、使用者の使い勝手が悪く、更には破損する危険性が非常に高い。
【考案の概要】
【考案が解決しようとする課題】
【０００７】
よって、本考案は、メモリーユニットによってデータの読み書きをするとともに、両面差込接続マイクロＵＳＢコネクタによって両面での差込接続が出来ることにより、効果的なデータ転送・読み書きが可能で使用に便利な、双方向読み書きＵＳＢメモリを提供することを目的とする。
【課題を解決するための手段】
【０００８】
上述の目的を達成するために、本考案の双方向読み書きＵＳＢメモリは、ケース体と、両面差込接続マイクロＵＳＢコネクタとからなる。前記ケース体内部には収容スペースが設けられ、前記収容スペースには電子回路基板が設けられる。また、前記電子回路基板の一面には、メモリーユニットが設けられる。更に、前記ケース体の一端には、前記両面差込接続マイクロＵＳＢコネクタが接続される。前記両面差込接続マイクロＵＳＢコネクタには、フレーム体が設けられ、前記フレーム体の所定の位置には板体が設けられ、前記板体の二面にはそれぞれ複数の導電部品が設けられ、前記板体の二側には少なくとも一つの固定部品が設けられる。
【０００９】
上述のうち、前記板体は、前記フレーム体内部の中段に設けられる。
【図面の簡単な説明】
【００１０】
【図１】本考案の斜視外観図である。
【図２】本考案の斜視外観概略図である。
【図３】本考案の使用状態を示した概略図である。
【図４】本考案の両面差込接続マイクロＵＳＢコネクタの使用状態を示した断面図である。
【図５】本考案の両面差込接続マイクロＵＳＢコネクタの概略図である。
【図６】本考案の実施例２を示した概略図である。
【図７】本考案の実施例２の使用状態を示した概略図である。
【考案を実施するための形態】
【００１１】
（実施例１）
図１、及び図２を参照する。図は、本考案の斜視外観図、及び斜視外観概略図である。本考案は、ケース体１と、両面差込接続マイクロＵＳＢコネクタ２とからなる。ケース体１内部には収容スペースが設けられ、前記収容スペースには電子回路基板１１が設けられる。また、電子回路基板１１一面には、メモリーユニット１１１が設けられる。更に、ケース体１一端には、両面差込接続マイクロＵＳＢコネクタ２が接続される。両面差込接続マイクロＵＳＢコネクタ２には、フレーム体２１が設けられ、フレーム体２１内部の中段には板体２２が設けられ、板体２２の二面にはそれぞれ複数の導電部品２３が設けられ、板体２２の二側には少なくとも一つの固定部品２４が設けられる。
【００１２】
図３、及び図４を参照する。図は、本考案の使用状態を示した概略図、及び両面差込接続マイクロＵＳＢコネクタの使用状態を示した断面図である。本考案は、両面差込接続マイクロＵＳＢコネクタ２によって電子機器３と接続された後、メモリーユニット１１１によって電子機器３内部のデータを読み書きしたり、メモリーユニット１１１内部のデータを移動・削除・修正したりすることにより、効果的にデータの読み書きや変更を行うことが出来る。
【００１３】
図５を参照する。図は、本考案の両面差込接続マイクロＵＳＢコネクタの概略図である。板体２２の二面にそれぞれ設けられた導電部品２３のうち、板体２２一面の導電部品２３は、右から左に向かって、電源接続点２３１（Ｖ）・第一データ接続点２３２（Ｄ１）・第二データ接続点２３３（Ｄ２）・識別接続点２３４（ＩＤ）・接地接続点２３５（Ｇ）の順に配列される。また、板体２２他面の導電部品２３は、右から左に向かって、接地接続点２３５（Ｇ）・識別接続点２３４（ＩＤ）・第二データ接続点２３３（Ｄ２）・第一データ接続点２３２（Ｄ１）・電源接続点２３１（Ｖ）の順に配列される。このように、板体２２表面に設けられた導電部品２３と、板体２２裏面に設けられた導電部品２３が鏡像対称を呈して配列されることにより、両面での差込接続が可能になる。
【００１４】
（実施例２）
図６、及び図７を参照する。図は、本考案の実施例２を示した概略図、及び実施例２の使用状態を示した概略図である。実施例２は、ケース体１の他端にＵＳＢコネクタ４が設けられて、ＵＳＢコネクタ４によってＵＳＢポートと接続されるか、或は両面差込接続マイクロＵＳＢコネクタ２によって電子機器３と接続される。これにより、効果的な接続が可能になる。
【符号の説明】
【００１５】
１ケース体
１１電子回路基板
１１１メモリーユニット
２両面差込接続マイクロＵＳＢコネクタ
２１フレーム体
２２板体
２３導電部品
２３１電源接続点
２３２第一データ接続点
２３３第二データ接続点
２３４識別接続点
２３５接地接続点
２４固定部品
３電子機器
４ＵＳＢコネクタ
【図１】
0003202415.tif 000003
【図２】
0003202415.tif 000004
【図３】
0003202415.tif 000005
【図４】
0003202415.tif 000006
【図５】
0003202415.tif 000007
【図６】
0003202415.tif 000008
【図７】
0003202415.tif 000009